【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
時分割複信（ＴＤＤ）通信システムを動作させる方法であって、
遠隔トランシーバで通信を確立することと、
静的サブフレームとフレキシブルサブフレームとを含むサブフレーム構成を判定することと、
前記判定することに応答して前記サブフレーム構成を前記遠隔トランシーバに伝送することと、
前記伝送することに応答して前記遠隔トランシーバからチャネル状態情報（ＣＳＩ）レポートを受け取ることと、
を含む、方法。
【請求項２】
請求項１に記載の方法であって、
無線リソース制御（ＲＲＣ:ｒａｄｉｏ  ｒｅｓｏｕｒｃｅ  ｃｏｎｔｒｏｌ）により前記静的サブフレームをシグナリングすることと、
ダウンリンク制御情報（ＤＣＩ）パケットにより前記フレキシブルサブフレームをシグナリングすることと、
を更に含む、方法。
【請求項３】
請求項１に記載の方法であって、
どのサブフレームが前記ＣＳＩレポートのために用いられるかを示すためにアップリンクグラントにおいて複数のビットを伝送することを更に含む、方法。
【請求項４】
請求項１に記載の方法であって、
前記ＣＳＩレポートが、前記静的サブフレーム、前記フレキシブルサブフレーム、又はこれら両方のサブフレームのいずれから判定されるかを示すために、アップリンクグラントにおいて複数のビットを伝送することを更に含む、方法。
【請求項５】
請求項４に記載の方法であって、
前記アップリンクグラントにより特定されるアップリンクサブフレームの少なくともｎｔｈｒｅｓｈｏｌｄサブフレーム前の有効ダウンリンクサブフレームセットにおいて前記アップリンクグラントにおけるＣＳＩリクエストを前記遠隔トランシーバに伝送することを更に含む、方法。
【請求項６】
請求項１に記載の方法であって、
前記判定することが無線リソース制御（ＲＲＣ）シグナリングに応答する、方法。
【請求項７】
時分割複信（ＴＤＤ）通信システムを動作させる方法であって、
遠隔トランシーバで通信を確立することと、
静的サブフレームとフレキシブルサブフレームとを含むサブフレーム構成を判定することと、
前記判定することに応答して前記サブフレーム構成を前記遠隔トランシーバに伝送することと、
前記伝送することに応答して前記遠隔トランシーバからチャネル状態情報（ＣＳＩ）レポートを受け取ることと、
を含み、
前記ＣＳＩレポートが、チャネル状態情報基準信号（ＣＳＩ−ＲＳ）リソースと少なくとも２つのチャネル状態情報干渉測定（ＣＳＩ−ＩＭ）リソースとに応答して判定される、方法。
【請求項８】
請求項７に記載の方法であって、
第１のＣＳＩ−ＩＭリソースが静的サブフレーム干渉を判定し、第２のＣＳＩ−ＩＭリソースがフレキシブルサブフレーム干渉を判定する、方法。
【請求項９】
時分割複信（ＴＤＤ）通信システムを動作させる方法であって、
遠隔トランシーバで通信を確立することと、
静的サブフレームとフレキシブルサブフレームとを含むサブフレーム構成を判定することと、
前記判定することに応答して前記サブフレーム構成を前記遠隔トランシーバに伝送することと、
前記遠隔トランシーバから周期的チャネル状態情報（ＣＳＩ）レポートを受け取ることと、
を含む、方法。
【請求項１０】
時分割複信（ＴＤＤ）通信システムを動作させる方法であって、
遠隔トランシーバで通信を確立することと、
静的サブフレームとフレキシブルサブフレームとを含むサブフレーム構成を判定することと、
前記判定することに応答して前記サブフレーム構成を前記遠隔トランシーバに伝送することと、
チャネル状態情報（ＣＳＩ）サブフレームセット優先度とＣＳＩタイプとサービングセルインデックスとＣＳＩプロセスインデックスとに従って降順の優先度で前記遠隔トランシーバにより選択されるとおりに前記ＣＳＩレポートを受け取ることと、
を含む、方法。
【請求項１１】
時分割複信（ＴＤＤ）通信システムを動作させる方法であって、
遠隔トランシーバで通信を確立することと、
静的サブフレームとフレキシブルサブフレームとを含むサブフレーム構成を判定することと、
前記判定することに応答して前記サブフレーム構成を前記遠隔トランシーバに伝送することと、
前記伝送することに応答して、チャネル状態情報（ＣＳＩ）タイプとＣＳＩプロセスインデックスとサービングセルインデックスとＣＳＩサブフレームセット優先度とに従って降順の優先度で前記遠隔トランシーバにより選択されるとおりにチャネル状態情報（ＣＳＩ）レポートを受け取ることと、
を含む、方法。
【請求項１２】
時分割複信（ＴＤＤ）通信システムを動作させる方法であって、
遠隔トランシーバで通信を確立することと、
静的サブフレームとフレキシブルサブフレームとを含むサブフレーム構成を受け取ることであって、前記静的サブフレームが無線リソース制御（ＲＲＣ）によりシグナリングされ、前記フレキシブルサブフレームがダウンリンク制御情報（ＤＣＩ）パケットによりシグナリングされる、前記受け取ることと、
前記サブフレーム構成に応答してチャネル状態情報（ＣＳＩ）レポートをつくることと、
前記ＣＳＩレポートを前記遠隔トランシーバに伝送することと、
を含む、方法。
【請求項１３】
請求項１２に記載の方法であって、
前記静的サブフレーム、前記フレキシブルサブフレーム又はこれら両方のサブフレームのいずれかから前記ＣＳＩレポートが判定されるかを示すために、アップリンクグラントにおいて複数のビットを受け取ることを更に含む、方法。
【請求項１４】
請求項１２に記載の方法であって、
前記遠隔トランシーバからのアップリンクグラントが、チャネル状態情報基準信号（ＣＳＩ−ＲＳ）リソースと少なくとも２つのチャネル状態情報干渉測定（ＣＳＩ−ＩＭ）リソースとを含む、方法。
【請求項１５】
請求項１４に記載の方法であって、
第１のＣＳＩ−ＩＭ信号が静的サブフレーム干渉を判定し、第２のＣＳＩ−ＩＭ信号がフレキシブルサブフレーム干渉を判定する、方法。
【請求項１６】
時分割複信（ＴＤＤ）通信システムを動作させる方法であって、
遠隔トランシーバで通信を確立することと、
静的サブフレームとフレキシブルサブフレームとを含むサブフレーム構成を受け取ることと、
前記サブフレーム構成に応答してチャネル状態情報（ＣＳＩ）レポートをつくることと、
どのサブフレームが前記ＣＳＩレポートのために用いられるかを示すためにアップリンクグラントにおいて複数のビットを受け取ることと、
前記ＣＳＩレポートを前記遠隔トランシーバに伝送することと、
を含む、方法。
【請求項１７】
時分割複信（ＴＤＤ）通信システムを動作させる方法であって、
遠隔トランシーバで通信を確立することと、
静的サブフレームとフレキシブルサブフレームとを含むサブフレーム構成を受け取ることと、
前記サブフレーム構成に応答して前記静的サブフレームとフレキシブルサブフレームとの一方に対してチャネル状態情報（ＣＳＩ）レポートをつくることと、
ＣＳＩサブフレームセット優先度とＣＳＩタイプとサービングセルインデックスとＣＳＩプロセスインデックスとのうち少なくとも１つに従って前記ＣＳＩレポート選択することと、
前記ＣＳＩレポートを前記遠隔トランシーバに伝送することと、
を含む、方法。
【請求項１８】
時分割複信基地局であって、
プロセッサと、
前記プロセッサに結合されるトランシーバであって、
静的サブフレームとフレキシブルサブフレームとを含むサブフレーム構成を遠隔トランシーバに送信し、
アップリンクグラントを前記遠隔トランシーバに送信し、
前記アップリンクグラントに応答して前記遠隔トランシーバからチャネル状態情報（ＣＳＩ）レポートを受信する、
ように配される、前記トランシーバと、
を含み、
前記静的サブフレームが無線リソース制御（ＲＲＣ）によりシグナリングされ、前記フレキシブルサブフレームがダウンリンク制御情報（ＤＣＩ）パケットによりシグナリングされる、時分割複信基地局。
【請求項１９】
時分割複信（ＴＤＤ）通信装置を動作させる方法であって、
基地局で通信を確立することと、
静的サブフレームとフレキシブルサブフレームとを含むサブフレーム構成を受信することであって、無線リソース制御（ＲＲＣ）により前記静的サブフレームを受信することとダウンリンク制御情報（ＤＣＩ）パケットにより前記フレキシブルサブフレームを受信することとを含む、前記サブフレーム構成を受信することと、
前記サブフレーム構成を受信することに応答してチャネル状態情報（ＣＳＩ）レポートを前記基地局に伝送することと、
を含む、方法。
【請求項２０】
請求項１９に記載の方法であって、
どのサブフレームが前記ＣＳＩレポートに使用されるかを示すためにアップリンクグラントにおいて複数のビットを受信することを更に含む、方法。
【請求項２１】
請求項１９に記載の方法であって、
前記静的サブフレーム、前記フレキシブルサブフレーム又は前記２つのサブフレームの何れかから前記ＣＳＩレポートが判定されるかどうかを示すためにアップリンクグラントにおいて複数のビットを受信することを更に含む、方法。
【請求項２２】
請求項２１に記載の方法であって、
前記アップリンクグラントにより特定されるアップリンクサブフレームよりも少なくともｎｔｈｒｅｓｈｏｌｄサブフレーム前の有効ダウンリンクサブフレームにおいて前記アップリンクグラントにおけるＣＳＩ要求を受信することを更に含む、方法。
【請求項２３】
時分割複信（ＴＤＤ）通信装置を動作させる方法であって、
基地局で通信を確立することと、
前記基地局から静的サブフレームとフレキシブルサブフレームとを含むサブフレーム構成を受信することと、
前記受信することに応答して前記基地局にチャネル状態情報（ＣＳＩ）レポートを伝送することと、
を含み、
前記ＣＳＩレポートが、チャネル状態情報参照信号（ＣＳＩ−ＲＳ）リソースと少なくとも２つのチャネル状態情報干渉測定（ＣＳＩ−ＩＭ）リソースとに応答して判定される、方法。
【請求項２４】
請求項２３に記載の方法であって、
第１のＣＳＩ−ＩＭリソースが静的サブフレーム干渉を判定し、第２のＣＳＩ−ＩＭリソースがフレキシブルサブフレーム干渉を判定する、方法。
【請求項２５】
時分割複信（ＴＤＤ）通信装置を動作させる方法であって、
基地局で通信を確立することと、
前記基地局から静的サブフレームとフレキシブルサブフレームとを含むサブフレーム構成を受信することと、
前記受信することに応答して前記基地局に周期的チャネル状態情報（ＣＳＩ）レポートを伝送することと、
を含む、方法。
【請求項２６】
時分割複信（ＴＤＤ）通信装置を動作させる方法であって、
基地局で通信を確立することと、
前記基地局から静的サブフレームとフレキシブルサブフレームとを含むサブフレーム構成を受信することと、
チャネル状態情報（ＣＳＩ）サブフレームセット優先度とＣＳＩタイプとサービングセルインデックスとＣＳＩプロセスインデックスとに従って降順の優先度で前記基地局により選択されるとおりにチャネル状態情報（ＣＳＩ）レポートを前記基地局に伝送することと、
を含む、方法。
【請求項２７】
時分割複信（ＴＤＤ）通信装置を動作させる方法であって、
基地局で通信を確立することと、
前記基地局から静的サブフレームとフレキシブルサブフレームとを含むサブフレーム構成を受信することと、
前記受信することに応答して、チャネル状態情報（ＣＳＩ）タイプとＣＳＩプロセスインデックスとサービングセルインデックスとＣＳＩサブフレームセット優先度とに従って降順の優先度でチャネル状態情報（ＣＳＩ）レポートを前記基地局に伝送することと、
を含む、方法。
【請求項２８】
時分割複信（ＴＤＤ）通信装置を動作させる方法であって、
基地局で通信を確立することと、
前記基地局から静的サブフレームとフレキシブルサブフレームとを含むサブフレーム構成を伝送することであって、前記静的サブフレームが無線リソース制御（ＲＲＣ）によりシグナリングされ、前記フレキシブルサブフレームがダウンリンク制御情報（ＤＣＩ）パケットによりシグナリングされる、前記伝送することと、
前記サブフレーム構成に応答して前記基地局からチャネル状態情報（ＣＳＩ）レポートを受信することと、
を含む、方法。
【請求項２９】
請求項２８に記載の方法であって、
前記静的サブフレーム、前記フレキシブルサブフレーム又は前記両方のサブフレームの何れかからＣＳＩレポートが判定されるかどうかを示すためにアップリンクグラントにおいて複数のビットを前記基地局に伝送することを更に含む、方法。
【請求項３０】
請求項２８に記載の方法であって、
アップリンクグラントがチャネル状態情報参照信号（ＣＳＩ−ＲＳ）リソースと少なくとも２つのチャネル状態情報干渉測定（ＣＳＩ−ＩＭ）リソースとを含む、方法。
【請求項３１】
請求項３０に記載の方法であって、
第１のＣＳＩ−ＩＭ信号が静的サブフレーム干渉を判定し、第２のＣＳＩ−ＩＭ信号がフレキシブルサブフレーム干渉を判定する、方法。
【請求項３２】
時分割複信（ＴＤＤ）通信装置を動作させる方法であって、
基地局で通信を確立することと、
前記基地局に静的サブフレームとフレキシブルサブフレームとを含むサブフレーム構成を伝送することと、
前記サブフレーム構成に応答して前記基地局からチャネル状態情報（ＣＳＩ）レポートを受信すること、
どのサブフレームが前記ＣＳＩレポートに使用されているかを示すためにダウンリンクグラントにおいて複数のビットを前記基地局に伝送することと、
を含む、方法。
【請求項３３】
時分割複信（ＴＤＤ）通信装置を動作させる方法であって、
基地局で通信を確立することと、
前記基地局に静的サブフレームとフレキシブルサブフレームとを含むサブフレーム構成を伝送することと、
前記サブフレーム構成に応答して、チャネル状態情報（ＣＳＩ）サブフレームセット優先度と、ＣＳＩタイプと、サービングセルインデックスと、前記静的サブフレームと前記フレキシブルサブフレームとの１つに対して静的サブフレームとフレキシブルサブフレームとを含むＣＳＩプロセスインデックスとの少なくとも１つに従って選択されるチャネル状態情報（ＣＳＩ）レポートを前記基地局に伝送することと、
を含む、方法。
【請求項３４】
時分割複信ユーザ装置であって、
プロセッサと、
前記プロセッサに結合されるトランシーバであって、
基地局から静的サブフレームとフレキシブルサブフレームとを含むサブフレーム構成を受信し、
前記基地局からアップリンクグラントを受信し、
前記アップリンクグラントに応答して前記基地局にチャネル状態情報（ＣＳＩ）レポートを伝送する、
ように配される、前記トランシーバと、
を含み、
前記静的サブフレームが無線リソース制御（ＲＲＣ）によりシグナリングされ、前記フレキシブルサブフレームがダウンリンク制御情報（ＤＣＩ）パケットによりシグナリングされる、装置。